(57)【特許請求の範囲】
【請求項１】
ランドセル本体（１）の底部に固定された取付金具（２）の中央部に回動自在として摘体（３）が設けられ、この摘体（３）を蓋（４）の延長ベルト（５）の端部に取り付けられた止板（６）の開口（７）に係合させたランドセル用蓋止め具において、取付金具（２）の表側の両端部にダルマ部（８）を取り付ける円形凹部（９）を設け、裏側の中央部に前記摘体（３）を回動自在に取り付けておくための取付部材（１０）を設け、さらに前記取付金具（２）の両端部の裏側とランドセル本体（１）の底部との間に合成樹脂製の支持部材（１１）を介在させたものとし、前記取付部材（１０）は、中央部を座金（１３ａ）で補強すると共に永久磁石（１２）を保持させたケース体（１３）と、このケース体（１３）を中央部に取り付けた合成樹脂製の幅広の支持枠体（１４）とからなるものとし、さらに前記支持部材（１１）は、支持台（１５）の中央部に突起部（１６）を設けたものとし、この突起部（１６）を前記円形凹部（９）の中央部に形成された通孔（１７）から突出させ、ダルマ部（８）の天面（８ａ）の裏側に接触するようにしたことを特徴とするランドセル用蓋止め具。
【請求項２】
前記摘体（３）を、合成樹脂製の摘部（１８）と金属製のリベット（１９）からなるものとしたことを特徴とする請求項１記載のランドセル用蓋止め具。
【発明の詳細な説明】
【０００１】
【発明の属する技術分野】
この発明は、ランドセルの蓋と本体底部とを着脱自在に止めておくためのランドセル用蓋止め具に関するものである。
【０００２】
【従来の技術】
従来、この種のランドセル用蓋止め具は、例えば図７〜１０に示したように、ランドセル本体１の底部に固定された取付金具２の中央部に回動自在として摘体３が設けられ、この摘体３を蓋４の延長ベルト５の端部に取り付けられた止板６の開口７に係合させて蓋止めしている。
【０００３】
そして、前記摘体３は、ダイカストにより成形した摘部３１と鋼鉄製のリベット３２からなり、この摘部３１の上面には係止溝３３を設け、さらに係止溝３３には通孔３４を設けており、前記リベット３２をこの通孔３４に挿入すると共に係止溝３３にリベット頭３５を係止させている。
【０００４】
さらに、前記取付金具２は、表側の両端部にはダルマ部８を取り付ける円形凹部９が設けられており、裏側の中央部には前記摘体３を回動自在に取り付けておくための取付部材１０が設けられている。この取付部材１０は、ケース体３６の両側部に永久磁石３７、３７を保持させ、対向させた板バネ３８、３８を、ケース体３６の中央部に保持し、ケース体３６中央の通孔３９に前記リベット３２の軸部４０を挿通し、ワッシャー４１を介し止板４２に軸部４０下端をかしめている。
【０００５】
【発明が解決しようとする課題】
しかしながら、上記従来のランドセル用蓋止め具では、取付金具２の中央部に設けた取付部材１０のランドセル本体１の底部への接触面積は小さく、また取付金具２の両端部のダルマ部８を取り付ける円形凹部９の下方は、図９に示したように、空間部Ｓとなっているため、ダルマ部８を取り付けると円形凹部９に強い力がかかって、取付金具２を薄い鉄板や軽金属合金板とした場合にはこの円形凹部９がさらに空間部Ｓ側に凹んでしまって変形するので、取付金具２を強度性の高い分厚い鉄板としていた。そのため、蓋止め具の重量が非常に重いものとなり、この蓋止め具を取り付けるランドセルの重量も重くなるので蓋止め具として好ましくないという課題を有していた。
【０００６】
また、上記従来のランドセル用蓋止め具では、摘体３および取付部材１０をすべて金属製としていたので、さらに重量が非常に重いものとなり、前記と同様にランドセルの重量も重くなるので蓋止め具として好ましくないという課題を有していた。
【０００７】
そこで、この発明は、上記従来の課題を解決するものであり、強度を低下させることなく、軽量化をはかったランドセル用蓋止め具を提供することを目的としたなされたものである。
【０００８】
【課題を解決するための手段】
そのため、この発明は、ランドセル本体１の底部に固定された取付金具２の中央部に回動自在として摘体３が設けられ、この摘体３を蓋４の延長ベルト５の端部に取り付けられた止板６の開口７に係合させたランドセル用蓋止め具において、取付金具２の表側の両端部にダルマ部８を取り付ける円形凹部９を設け、裏側の中央部に前記摘体３を回動自在に取り付けておくための取付部材１０を設け、さらに前記取付金具２の両端部の裏側とランドセル本体１の底部との間に合成樹脂製の支持部材１１を介在させたものとし、前記取付部材１０は、中央部を座金１３ａで補強すると共に永久磁石１２を保持させたケース体１３と、このケース体１３を中央部に取り付けた合成樹脂製の幅広の支持枠体１４とからなるものとし、さらに前記支持部材１１は、支持台１５の中央部に突起部１６を設けたものとし、この突起部１６を前記円形凹部９の中央部に形成された通孔１７から突出させ、ダルマ部８の天面８ａの裏側に接触するようにしている。
【００１０】
また、この発明ランドセル用蓋止め具は、前記摘体３を、合成樹脂製の摘部１８と金属製のリベット１９からなるものとしている。
【００１１】
【発明の実施の形態】
以下、この発明の構成を一実施形態として示した図面に基づいて、詳細に説明する。
【００１２】
この発明のランドセル用蓋止め具は、図１に示したように、ランドセル本体１の底部に固定された取付金具２の中央部に回動自在として摘体３が設けられ、この摘体３を蓋４の延長ベルト５の端部に取り付けられた止板６の開口７に係合させたものとしている。なお、止板６の左右側部には表面に凸となった凸条６ａが補強のために形成されている。
【００１３】
取付金具２は、図２〜５に示したように、表側の両端部にはダルマ部８を取り付ける円形凹部９が設けられ、裏側の中央部には前記摘体３を回動自在に取り付けておくための取付部材１０が設けられている。そして、この取付金具２の両端部の裏側には、ランドセル本体１の底部との間に合成樹脂製の支持部材１１を介在させたものとしている。取付部材１０は、中央部を座金１３ａで補強すると共に片側または両側（図示したものでは片側）に永久磁石１２を保持させたケース体１３と、このケース体１３を中央部に取り付けた合成樹脂製の幅広の支持枠体１４とからなるものとしている。さらに、支持部材１１は、支持台１５の中央部に突起部１６を設けたものとしており、この突起部１６を前記円形凹部９の中央部に形成された通孔１７から突出させ、ダルマ部８の天面８ａの裏側に接触するようにすることにより、このダルマ部８を補強している。
【００１４】
摘体３は、図２〜４に示したように、合成樹脂製の摘部１８と金属製のリベット１９からなり、この摘部１８の上面には係止溝２０を設け、さらに係止溝２０には通孔２１を設けており、摘部１８の内部には板バネ２２、２２を対向させて設けており、中央に通孔２３を設けた底蓋２４により摘部１８の底部を閉じている。リベット１９は、円盤形状のリベット頭２５と四角柱形状としたリベット胴２６を有しており、前記摘部１８の通孔２１にリベット胴２６を挿通し、係止溝２０にリベット頭２５を支持させ、板バネ２２、２２の間にリベット胴２６を挟持させて、摘部１８に回動自在に取り付けたものとしている。なお、リベット１９のリベット胴２６は、前記取付金具２中央部の通孔２８から支持枠体１４中央部の通孔２９及びケース体１３の通孔３０を貫通させ、このケース体１３にリベット胴２６の下端をかしめたものとしている。
【００１５】
以上のように構成されたこの発明のランドセル用蓋止め具は、取付金具２の中央部が取付部材１０の支持枠体１７により支えられ、取付金具２の両端部が支持部材１１により支えられるので、取付金具２の中央部や両端部に強い力がかかっても、この取付金具２は変形することがない。したがって、この発明のランドセル用蓋止め具では、取付金具２を従来のような強度性の高い分厚い鉄板でなく、薄い鉄板や軽金属合金板とすることができるので、重量も軽いものとなった。
【００１６】
さらに、この発明のランドセル用蓋止め具は、摘体３の摘部１８を合成樹脂製とすると共に、取付部材１０の支持枠体１４及び支持部材１１を合成樹脂製としたので、重量がそれほど増加しないものとなった。
【００１７】
すなわち、この発明のランドセル用蓋止め具は、以上に述べたような構成にすることにより、従来のランドセル用蓋止め具が約８０〜９０ｇであったのを、約４５ｇまで軽量化することができた。
【００１８】
【発明の効果】
この発明のランドセル用蓋止め具は、以上に述べたように構成されているので、強度を低下させることなく、軽量化がはかられるものとなり、この蓋止め具を取り付けるランドセルの重量も重くならず、非常に商品価値の高いものとなった。
【図面の簡単な説明】
【図１】この発明のランドセル用蓋止め具をランドセル本体の底部に取り付けた状態を示す説明図である。
【図２】図１中のＡ−Ａ線によるこの発明のランドセル用蓋止め具の断面図である。
【図３】図１中のＢ−Ｂ線によるこの発明のランドセル用蓋止め具の断面図である。
【図４】この発明のランドセル用蓋止め具の分解斜視図である。
【図５】この発明のランドセル用蓋止め具における摘体の分解斜視図である。
【図６】この発明のランドセル用蓋止め具の裏面図である。
【図７】従来のランドセル用蓋止め具をランドセル本体の底部に取り付けた状態を示す説明図である。
【図８】図７中のＣ−Ｃ線による従来のランドセル用蓋止め具の断面図である。
【図９】図７中のＤ−Ｄ線による従来のランドセル用蓋止め具の断面図である。
【図１０】従来のランドセル用蓋止め具の分解斜視図である。
【符号の説明】
１  ランドセル本体
２  取付金具
３  摘体
４  蓋
５  延長ベルト
６  止板
７  開口
８  ダルマ部
９  円形凹部
１０  取付部材
１１  支持部材
１２  永久磁石
１３  ケース体
１４  支持枠体
１８  摘部
１９  リベット
【図１】
0004193090.tif 000002
【図２】
0004193090.tif 000003
【図３】
0004193090.tif 000004
【図４】
0004193090.tif 000005
【図５】
0004193090.tif 000006
【図６】
0004193090.tif 000007
【図７】
0004193090.tif 000008
【図８】
0004193090.tif 000009
【図９】
0004193090.tif 000010
【図１０】
0004193090.tif 000011